(57)【要約】      （修正有）【課題】ネットワーク経由では取得できない各サーバ・ネットワーク機器の情報を、管理者が、その場所まで赴くことなく一元管理する事が可能と成る運用機器統合遠隔点監視プログラム・システム及び方法を提供する。【解決手段】定点監視機器１，２自体に表示機１０１〜１０３，２０１〜２０３の情報を光ケーブル１２１〜１２３、２２１〜２２３経由にて、統合点検監視装置３は、受信部３０１、３０２で受信する。この情報を基に点検制御部３０３は、監視対象の各定点監視機器の状態を統合して監視者端末４、保守者端末５へ出力する。【選択図】図１
2008079090.tif 000002
【特許請求の範囲】
【請求項１】
各監視対象機器の状態を表示する表示手段が正常時の表示状態を記憶する情報設定テーブルにアクセス可能なコンピュータを、
各監視対象機器の状態を表示する表示手段の表示内容を光ケーブルを介して受光する受光部と、
前記受光部による受光結果と前記情報設定テーブルに記憶されている正常時の表示状態とが異なっている表状態があれば、異常状態として出力する異常出力手段と、
として機能させることを特徴とする運用機器統合遠隔点監視プログラム。
【請求項２】
前記異常出力手段での出力は、異常を示す情報を含む表題を付したメールを所定のメールアドレス宛てに送信する事によって行われることを特徴とする請求項１記載の運用機器統合監視点監視プログラム。
【請求項３】
前記異常出力手段は、受光部で受信した各監視対象機器の表示状態を表形式で出力する事を特徴とする請求項１または請求項２記載の運用機器統合監視点監視プログラム。
【請求項４】
各監視対象機器の状態を表示する表示手段が正常時の表示状態を記憶する情報設定テーブルにアクセス可能なコンピュータが、
各監視対象機器の状態を表示する表示手段の表示内容を光ケーブルを介して受光する受光ステップと、
前記受光ステップによる受光結果と前記情報設定テーブルに記憶されている正常時の表示状態とが異なっている表状態があれば、異常状態として出力する異常出力ステップと、
とを実行することを特徴とする運用機器統合遠隔点監視方法。
【請求項５】
複数の監視対象機器と、各監視対象機器の情報を光ケーブル経由で取得して統合的な監視出力を行う運用機器統合監視点監視装置とから成る運用機器統合監視点監視システムであって、
前記監視対象機器は、各々、
自身の状態を表示する複数の状態表示手段と、
前記各状態表示手段の表示内容を取得し、前記光ケーブルへ送る表示ないよう取得手段と、
を有し、
前記運用機器統合監視点監視装置は、
各監視対象機器の状態を表示する表示手段が正常時の表示状態を記憶する情報設定テーブルと、
各監視対象機器の状態を表示する表示手段の表示内容を光ケーブルを介して受光する受光部と、
前記受光部による受光結果と前記情報設定テーブルに記憶されている正常時の表示状態とが異なっている表状態があれば、異常状態として出力する異常出力手段と、
として機能させることを特徴とする運用機器統合遠隔点監視システム。
【発明の詳細な説明】
【技術分野】
【０００１】
本発明は、運用中の監視対象機器を集中監視する運用機器統合遠隔点監視プログラム・システム及び方法に関するものである。
【背景技術】
【０００２】
ネットワークの管理者は、自身が担当するサーバやネットワーク機器の状況を逐次把握しておく必要があるが、各機器の動作状況を確認するのには、ネットワークを利用した総合監視システムにて、ネットワークを経由して各ネットワーク機器から情報を収集する事が多くなってきている。
【非特許文献１】HYPERLINK "http://systemwalker.fujitsu.com/jp/itsm/function/" http://systemwalker.fujitsu.com/jp/itsm/function/（２００６年９月１１日検索）
【発明の開示】
【発明が解決しようとする課題】
【０００３】
しかしながら、対象ネットワーク機器の一部に障害が発生した場合、障害を起こしたネットワーク機器以外の機器も異常値を示したり、通信ができないという事態になってしまうため、ネットワーク利用の総合監視システムで、障害機器を特定したりする事は困難である。
【０００４】
このため、従来では、システム管理者が、統合監視システムに表示されているネットワーク機器の状態を見た上で、障害となりうるネットワーク機器を特定し、対象ネットワーク機器の設置場所まで赴き、その症状を確認していたため、保守が面倒であった。
【０００５】
本願発明は、上記従来の課題に鑑み、ネットワーク経由では取得できない各サーバ・ネットワーク機器の情報を、管理者が、その場所まで赴くことなく一元管理する事が可能と成る運用機器統合遠隔点監視プログラム・システム及び方法を提供する事を目的とする。
【課題を解決するための手段】
【０００６】
本発明は、上記目的を達成するために、監視点に設置もしくはネットワーク機器自体に設置されている、監視用の表示機と監視システムに設けられた受光部とを光ケーブルにて接続し、その受光部の受光状態を基に監視システムで統合して表示させるようにしたものである。
【０００７】
このようにする事により、ネットワークによらず、かつ、監視対象のネットワーク機器を直接監視するのと同等な状態を監視できるようになるため、ネットワーク障害の場合も各ネットワーク機器の状態を把握し、対策すべきネットワーク機器を特定した上でネットワーク機器設置場所へ赴く事ができるようになり、システム監視が容易になる。
【０００８】
加えて、従来は、各ネットワーク機器の設置場所で個々の動作のみしか確認できなかったが、本発明のように構成する事で、統合的に状態監視を行なうことができるようになり、個々の動作状態では把握しにくい障害にも対応ができるようになる。
【発明を実施するための最良の形態】
【０００９】
まず、本発明の運用機器統合遠隔点監視システムの構成について説明する。
【００１０】
図１は、本発明の一実施の形態の構成図である。
【００１１】
図１において、１は、定点監視機器で、ネットワーク監視などでは、監視対象となるネットワーク機器やサーバが該当する。
【００１２】
この定点監視機器１には、通常、電源ランプ１０１（本実施の形態では、点灯時、定点監視機器１が稼動中とする）、ネットワークとの通信状態を示すリンクステータスランプ１０２及び、定点監視システムでの稼動状態を表示する表示パネル１０３とが設置されている。
【００１３】
また、１１１は、定点監視機器の電源ランプからの発光を受光する受光部であり、光ケーブル１２１の一端に接続されている。なお、光ケーブル１２１の他端は、後述する統合点検監視装置３の受信部３０１に接続されている。
【００１４】
同じく、１１２は、定点監視機器のリンクステータスランプからの発光を受光する受光部であり、光ケーブル１２２の一端に接続されている。なお、光ケーブル１２２の他端は、光ケーブル１２１と同じく後述する統合点検監視装置３の受信部３０１に接続されている。
【００１５】
更に、１１３は、定点監視機器の表示パネルの表示内容を取得するカメラであり、このカメラも、光ケーブル１２３の一端に接続されている。なお、光ケーブル１２３の他端は、光ケーブル１２１と同じく後述する統合点検監視装置３の受信部３０１に接続されている。
【００１６】
また、２は、定点監視機器１と同様、定点監視機器である。
【００１７】
この定点監視機器２にも、電源ランプ２０１（本実施の形態では、点灯時、定点監視機器１が稼動中とする）、ネットワークとの通信状態を示すリンクステータスランプ２０２及び、定点監視システムでの稼動状態を表示する表示パネル２０３とが設置されている。
【００１８】
また、２１１は、定点監視機器の電源ランプからの発光を受光する受光部であり、光ケーブル２２１の一端に接続されている。なお、光ケーブル２２１の他端は、後述する統合点検監視装置３の受信部３０２に接続されている。
【００１９】
同じく、２１２は、定点監視機器のリンクステータスランプからの発光を受光する受光部であり、光ケーブル２２２の一端に接続されている。なお、光ケーブル２２２の他端は、光ケーブル２２１と同じく後述する統合点検監視装置３の受信部３０２に接続されている。
【００２０】
更に、２１２は、定点監視機器の表示パネルの表示内容を取得するカメラであり、このカメラも、光ケーブル１２３の一端に接続されている。なお、光ケーブル２２３の他端は、光ケーブル２２１と同じく後述する統合点検監視装置３の受信部３０２に接続されている。
【００２１】
なお、本実施の形態では、２つの定点監視機器のみ明記しているが、実際には、ｎ台の定点監視機器があるものとする。
【００２２】
また、３は、各定点監視機器から光ケーブルを介して送られてくる光学情報を受信し、統合的な情報として、ネットワーク監視者や保守部門にある各種端末への通知を行なう統合点検監視装置である。
【００２３】
この統合転換監視装置３には、各定点監視機器単位で光ケーブルを介して送られてくる情報を受信する受信部３０１，３０２（本実施の形態では、定点監視機器１から送られてくる情報を受信する受信部を受信部３０１、定点監視機器２から送られてくる情報を受信する受信部を受信部３０２とする。）、各受信部からの情報をデータベース３０４に蓄積するとともに、該データベース３０４に蓄積された情報を基に、各定点監視機器の統合情報をネットワーク監視者の端末４（以下監視者端末４）へ通信インターフェイス３０５を制御しネットワーク６を通じて通知したり、保守が必要とされる定点監視機器の情報を端末各定点監視機器の統合情報を保守担当者の端末５（以下保守者端末５）へ通信インターフェイス３０５を制御しネットワーク６を通じて通知したりする点検制御部を有している。
【００２４】
なお、データベース３０４には、図２で示すように、統合点検監視装置３の、ネットワーク基本設定（IPアドレス・サブネットマスク・ディフォルトルータ・ＤＮＳアドレス）・メール送信を行なうためのメールサーバの設定（ＳＭＴＰアドレス（送信）・ＰＯＰアドレス（受信））送信結果を通知するメールアドレス（Ｅ−Ｍａｉｌアドレス1)）・コマンド受け付けるための受信用メールアドレス（Ｅ−Ｍａｉｌ2)）、メール受信を行なうための基本設定であるPOPアカウント・POPアカウントパスワード・定点監視機器１，２の定期点検の周期（定期点検周期）・監視者端末４や保守者端末５からのコマンド受け付けるか否かの各項目について設定された基本情報設定項目テーブル３０４１が記憶されている。
【００２５】
なお、図３は、図２で説明した基本情報設定項目テーブル３０４１の設定例であり、本実施の形態では、この例を用いて説明を行なう。
【００２６】
また、データベース３０４には、各監視対象機器、即ち定点監視機器１・２からの各種状態情報を記憶した定点監視機器状態テーブル３０４２が記憶されている。この定点監視機器状態テーブル３０４２は、図４で示すように、「：」を挟んで、前半に定点監視機器単位、後半に定点監視機器での各表示器に単位（電源ランプ１０１／２０１・リンクステータスランプ１０２／２０２・表示パネル１０３／２０３）に付されたアドレス・装置名称・ＬＥＤ名称。正常時の表示機の色及び点滅などの表示機の状態を示す状態情報が、各定点監視機器１・２のかく表示器単位で記憶されている。
【００２７】
図５は、この定点監視機器状態テーブル３０４２の記憶例で、本実施の形態では、この記憶例を基に説明を行なう。
【００２８】
また、図５の定点監視機器状態テーブル３０４２のアドレスの前半は、「０１」が定点監視機器１、「０２」が定点監視機器２を示しているものとする。
【００２９】
以上のように構成された運用機器統合遠隔点監視システムについてその動作について説明する。
【００３０】
なお、図６は、本実施の形態の統合点検監視装置３が行なう監視処理フローチャートであり、本フローチャートを用いて、以下本実施の形態における動作を説明する。
【００３１】
まず、点検制御部３０３は、基本情報設定項目テーブル３０４１を参照しての点検を開始するかの判定を行なう（ステップ１００１）。
【００３２】
この処理は、図7に示す点検開始条件判定フローチャートに示す処理にて行われる。
【００３３】
即ち、まず、点検制御部３０３は、基本情報設定項目テーブル３０４１を参照して監視者端末４からの点検開始コマンドを受け付ける設定になっているか確認する（ステップ２００１）。ここで、受け付ける設定となっていれば、基本情報設定項目テーブル３０４１に記憶されているＰＯＰアドレスが示すＰＯＰメールサーバに対し、同じく基本情報設定項目テーブル３０４１に記憶されているＰＯＰアカウント及びＰＯＰアカウントパスワードを付した、メールの受信要求を送り、そのＰＯＰサーバからのメール受信を行なう（ステップ２００２）。
【００３４】
次に点検制御部３０３は、ステップ２００２の処理により受信したメールに、図8に示すような即時点検開始コマンドが入っているか否かを判定する（ステップ２００３）。
【００３５】
ここで、点検制御部３０３は、即時点検開始コマンドが入っているメールがあれば、次の処理、即ち、ステップ１００２へ移行すべく、本処理を終了する。
【００３６】
また、点検制御部３０３は、ステップ２００１でコマンド受付設定となっていないと判定した場合、ステップ２００３にて即時点検開始コマンドが入っているメールがないと判定した場合、基本情報設定テーブル３０４１に記憶されている点検周期を超過しているかをチェックする（ステップ２００４）、ここで点検周期を越していない場合は、ステップ２００１の処理へ戻り、過ぎていれば、次の処理、即ち、ステップ１００２へ移行すべく、本処理を終了する。
【００３７】
このようにする事により、監視者端末４から即時点検実施コマンドがメール送信されてきたとき、もしくは、定期点検周期を越したときに、次の処理へ移行できる処理を行なうようになる。
【００３８】
次に、図６のフローチャートの処理に戻り、点検開始条件判定処理（ステップ１００１）の処理が完了すると、各定点監視機器１・２の定点監視処理を行なう（ステップ１００２）。
【００３９】
この定点監視処理は、図９に示されるフローチャートのように処理が行われる。
【００４０】
まず、点検制御部３０１は、受信部３０１、受信部３０２を利用し、各定点監視機器からの光情報を受信する。（ステップ３００１）
例えば、電源ランプ１０１の光は、受光部１１１にて受光され、この光は光ケーブル１２１にて、受信部３０１が受信する。受信部３０１では、この受信した光の色を判定するとともに、光の状態（点滅・点灯・消灯）を判定し、点検制御部３０３へ通知する。
【００４１】
また、受信部３０１は、文字認識機能を有しており、カメラ１１３で受像した画像を光ケーブル１２３経由で受信すると、その表示内容を文字認識し、その結果を点検制御部３０３へ通知する。
【００４２】
この受信部３０１，３０２からの通知は、図１０に示すような項目、即ち、どの定点監視機器のどの表示器かを示すアドレス・色及び状態（点灯・点滅・消灯）を通知している。
【００４３】
これらの通知を受けた点検制御部３０３は、図１１に示すように各定点監視機器の表示器の情報一覧テーブルを作成し、データベース３０４に蓄積し、本処理を終了、即ちステップ１００３へ移行する（ステップ３００２）。
【００４４】
次に点検制御部３０３は、監視結果の監査処理を行なう（図６：ステップ１００３）。
【００４５】
この処理について図１２のフローチャートを用いて説明する。なお、特に明記がない場合、この処理は点検制御部３０３が処理を行っているものとする。
【００４６】
まず、異常値データをクリアし、かつ、点検個数のカウンタであるｎを０にセットする（ステップ４００１）。
【００４７】
次に、データベース３０４に蓄積された（即ち図１１に示された）各定点監視機器の表示器の情報一覧テーブルにあるｎ＋１項目の情報を抽出する（ステップ４００２）。
【００４８】
例えば、ｎ＝０、即ち、ステップ４００１の処理の直後であった場合、ｎ＋１は1でであるので、1項目目の「アドレス＝０１：０１」、「色＝緑」、「状態＝点灯」が抽出される。
【００４９】
次に、この情報で抽出されたアドレス情報に対応した、定点監視機器の性常時の情報を、データベース３０４蓄積された情報設定テーブル（即ち図５に示されたテーブル）から抽出し、ステップ４００２で抽出した情報と比較する。（ステップ４００３）
ここで情報が異なるのであれば、異常とみなし、データベース３０４に蓄積されている異常情報テーブル（図示せず）に記録しステップ４００５へ移行する（ステップ４００４）。逆にステップ４００３で同じであると判定された場合は、ステップ４００４の処理を行なわずにステップ４００５へ移行する。
【００５０】
上記の例では、「アドレス＝０１：０１」が抽出されているので、図5に示された情報設定テーブルの「アドレス＝０１：０１」の項目を参照し、「色＝緑」、「状態=点灯」を抽出し、ステップ４００１で抽出した情報と比較する。この場合は、同じであるのステップ４００４の処理を行なわずにステップ４００５へ移行する。
【００５１】
上記処理が完了すると、全ての点検が完了したかの判断を行い、完了していなければ点検個数のカウンタｎを＋１し、ステップ４００２へ処理を移行する。
【００５２】
なお、全ての点検が完了したかの判断は、表示機の情報一覧テーブルにある全ての項目の個数を予めセットしておき、ｎ＋１がこの個数となった時点で全ての点検の監査が完了すると判断する。
【００５３】
なお、ステップ４００５にて点検監査完了を確認すると図６のステップ１００４へ移行する。
【００５４】
このようにする事により、点検ごとに正常状態と異なる表示器の情報が異常情報テーブルに記録される事になる。
【００５５】
次に、点検制御部３０３は、監視者端末４や保守者端末５へ点検結果の報告処理を行なう。この報告処理は、点検結果の報告を明記した電子メールを送信する事により行われる。本実施の形態では、この電子メールは定点監視機器単位で送信される。
【００５６】
この処理は、図１３に示すフローチャートのように処理を行なう。なお、この処理も特段の明記がない場合は、点検制御部３０３が処理を行なうものとする。
【００５７】
まず、データベース３０４に蓄積されている異常情報テーブル（図示せず）に記憶された異常情報を基に、定点検結果の報告通知メールの表題を生成する（ステップ５００１）。この生成処理は、図１４の１．に示されるように、［  ］内に異常・正常の種別、その後に点検の日付（yyyymmdd）,時刻（hh:mm:ss）、及び、定点
対象となる定点監視機器の名称が明記されるメール表題を生成する。
【００５８】
この処理により生成されたメール表題の例を図１４の２．に示す。
【００５９】
次に、同じく異常情報テーブルを基に、点検結果報告メールの本文を生成する処理を行なう（ステップ５００２）。
【００６０】
この処理は、対象定点監視機器の異常が無ければ本文の作成は行なわず、異常がある場合は、図１４の３．のように、どの項目が異常で、その正常値・異常値の各々が識別できる形式の本文を生成する。
【００６１】
なお、この処理には、データベース３０４蓄積された情報設定テーブル（即ち図５に示されたテーブル）及び各定点監視機器の表示器の情報一覧（即ち図１１に示されたテーブル）を参照して行われる。
【００６２】
この本文の生成例を図１４の４．に示す。
【００６３】
このようにして自動生成されたメールの表題及び本文を付した電子メールを監視者端末４、保守者端末５へ送信する。
【００６４】
このように本実施の形態では、上記目的を達成するために、監視点に設置もしくはネットワーク機器自体に置されている、監視用の表示機と監視システムに設けられた受光部とを光ケーブルにて接続し、その受光部の受光状態を基に監視システムで統合して表示させるようにしたので、ネットワークによらず、かつ、監視対象のネットワーク機器を直接監視するのと同等な状態を監視できるようになるため、ネットワーク障害の場合も各ネットワーク機器の状態を把握し、対策すべき定点監視機器を特定した上でネットワーク機器設置場所へ赴く事ができるようになり、システム監視が容易になる。
【００６５】
加えて、従来は、各定点監視機器の設置場所で個々の動作のみしか確認できなかったが、本実施の形態のように構成する事で、統合的に状態監視を行なうことができるようになり、個々の動作状態では把握しにくい障害にも対応ができるようになる。
【００６６】
なお、本実施の形態では、点検のたびに、監視者端末４や保守者端末５等の定点監視クライアントへメール通知する点まで明記したが、これでは、監視者・保守者が点検結果を通知しなければならず、面倒である。
【００６７】
このため、図１５に示すように定点監視クライアント側で、受け取ったメールの表題を確認し、異常を示すメールと判断した際にのみ、通知を行なうようにすると、定期点検ごとにメールを確認する必要が無く、監視者・保守者の負担を軽減できる。
【００６８】
更に上記の明記では定点監視クライアント側で表示の判断を行なうようにしているが、点検制御部３０３で動揺の判断を行い、異常項目がある場合にのみ送信を行なうようにしても、同様の効果が得られる上、定点監視クライアント側に不用意にメールが届かなくなるので、定点監視クライアントの負荷を軽減させる事が可能となる。
【００６９】
更に、上記では、テキスト形式でのメール通知をそのまま表示させるようにしているが、図１６のように、定点監視機器と監視項目とを、マトリクス上に配置した状態で定点監視クライアントに表示させる処理を行なうことで、○・◎などの明記にする事で、全ての監視対象項目を、視覚的に一括して確認する事が可能となる。
【００７０】
加えて、この処理を定点監視クライアントで行なうのではなく、例えば表計算ソフトの形式でマトリクス上に構成したファイルを作成し、そのファイルを、電子メールに添付して送信する事により、クライアント側で何ら追加処理を行なうことなく、監視者や保守者は点検結果の一括確認が可能となる。
【００７１】
（付記１）各監視対象機器の状態を表示する表示手段が正常時の表示状態を記憶する情報設定テーブルにアクセス可能なコンピュータを、
各監視対象機器の状態を表示する表示手段の表示内容を光ケーブルを介して受光する受光部と、
前記受光部による受光結果と前記情報設定テーブルに記憶されている正常時の表示状態とが異なっている表状態があれば、異常状態として出力する異常出力手段と、
として機能させることを特徴とする運用機器統合遠隔点監視プログラム。
【００７２】
（付記２）  前記異常出力手段での出力は、異常を示す情報を含む表題を付したメールを所定のメールアドレス宛てに送信する事によって行われることを特徴とする付記１記載の運用機器統合監視点監視プログラム。
【００７３】
（付記３）  前記異常出力手段は、受光部で受信した各監視対象機器の表示状態を表形式で出力する事を特徴とする付記１または付記２記載の運用機器統合監視点監視プログラム。
【００７４】
（付記４）各監視対象機器の状態を表示する表示手段が正常時の表示状態を記憶する情報設定テーブルにアクセス可能なコンピュータが、
各監視対象機器の状態を表示する表示手段の表示内容を光ケーブルを介して受光する受光ステップと、
前記受光ステップによる受光結果と前記情報設定テーブルに記憶されている正常時の表示状態とが異なっている表状態があれば、異常状態として出力する異常出力ステップと、
とを実行することを特徴とする運用機器統合遠隔点監視方法。
【００７５】
（付記５）  前記異常出力ステップでの出力は、異常を示す情報を含む表題を付したメールを所定のメールアドレス宛てに送信する事によって行われることを特徴とする付記４記載の運用機器統合監視点監視方法。
【００７６】
（付記６）  前記異常出力ステップは、受光ステップで受信した各監視対象機器の表示状態を表形式で出力する事を特徴とする付記４または付記５記載の運用機器統合監視点監視方法。
【００７７】
（付記７）各監視対象機器の状態を表示する表示手段が正常時の表示状態を記憶する情報設定テーブルと、
各監視対象機器の状態を表示する表示手段の表示内容を光ケーブルを介して受光する受光部と、
前記受光部による受光結果と前記情報設定テーブルに記憶されている正常時の表示状態とが異なっている表状態があれば、異常状態として出力する異常出力手段と、
として機能させることを特徴とする運用機器統合遠隔点監視装置。
【００７８】
（付記８）  前記異常出力手段での出力は、異常を示す情報を含む表題を付したメールを所定のメールアドレス宛てに送信する事によって行われることを特徴とする付記７記載の運用機器統合監視点監視装置。
【００７９】
（付記９）  前記異常出力手段は、受光部で受信した各監視対象機器の表示状態を表形式で出力する事を特徴とする付記７または付記８記載の運用機器統合監視点監視装置。
【００８０】
（付記１０）複数の監視対象機器と、各監視対象機器の情報を光ケーブル経由で取得して統合的な監視出力を行う運用機器統合監視点監視装置とから成る運用機器統合監視点監視システムであって、
前記監視対象機器は、各々、
自身の状態を表示する複数の状態表示手段と、
前記各状態表示手段の表示内容を取得し、前記光ケーブルへ送る表示ないよう取得手段と、
を有し、
前記運用機器統合監視点監視装置は、
各監視対象機器の状態を表示する表示手段が正常時の表示状態を記憶する情報設定テーブルと、
各監視対象機器の状態を表示する表示手段の表示内容を光ケーブルを介して受光する受光部と、
前記受光部による受光結果と前記情報設定テーブルに記憶されている正常時の表示状態とが異なっている表状態があれば、異常状態として出力する異常出力手段と、
として機能させることを特徴とする運用機器統合遠隔点監視システム。
【００８１】
（付記１１）  前記異常出力手段での出力は、異常を示す情報を含む表題を付したメールを所定のメールアドレス宛てに送信する事によって行われることを特徴とする付記１０記載の運用機器統合監視点監視システム。
【００８２】
（付記１２）  前記異常出力手段は、受光部で受信した各監視対象機器の表示状態を表形式で出力する事を特徴とする付記１０または付記１１記載の運用機器統合監視点監視システム。
【００８３】
（付記１３）  前記異常出力手段は、前記受光部による受光結果と前記情報設定テーブルに記憶されている正常時の表示状態とが異なっていない状態であれば、正常状態として出力する
事を特徴とする付記１０から付記１２の何れかに記載の運用機器統合遠隔点監視システム。
【００８４】
（付記１４）  更に前記運用機器統合監視装置の出力を受信し、表示を行なう端末を有し、
前記端末は、
前記運用機器統合監視装置の前記異常出力手段から送信される出力された情報に異常状態を示す情報がある場合にのみ監視対象機器の状態表示を行う
事を特徴とする付記１３に記載の運用機器統合監視システム。
【図面の簡単な説明】
【００８５】
【図１】本発明の一実施の形態の構成図
【図２】本発明の一実施の形態における基本情報設定項目テーブル３０４１を示した図
【図３】本発明の一実施の形態における基本情報設定項目テーブル３０４１の設定例を示した図
【図４】本発明の一実施の形態における定点監視機器状態テーブル３０４２を示した図
【図５】本発明の一実施の形態におけるこの定点監視機器状態テーブル３０４２の記憶例を示した図
【図６】本発明の一実施の形態における監視処理のフローチャート
【図７】本発明の一実施の形態における点検開始条件判定フローチャート
【図８】本発明の一実施の形態における即時点検開始コマンドを示した図
【図９】本発明の一実施の形態における定点監視処理のフローチャート
【図１０】本発明の一実施の形態におけるどの定点監視機器のどの表示器かを示すアドレス・色及び状態（点灯・点滅・消灯）を通知内容を示した図。
【図１１】本発明の一実施の形態における各定点監視機器の表示器の情報一覧テーブルを示した図。
【図１２】本発明の一実施の形態における監視結果の監査処理を示したフローチャート
【図１３】本発明の一実施の形態における点検結果の報告処理を示したフローチャート
【図１４】本発明の一実施の形態における点検結果の報告メールの自動生成の説明図
【図１５】本発明の一実施の形態における定点監視クライアントの異常状態表示の説明図
【図１６】本発明の一実施の形態における一括表示の表示例を示した図
【符号の説明】
【００８６】
１      定点監視機器
２      定点監視機器
３      統合点検監視装置
３０１  受信部
３０２  受信部
３０３  点検制御部
３０４  データベース
３０５  通信インターフェイス
４      監視者端末
５      保守者端末
６      ネットワーク
【図１】
2008079090.tif 000003
【図２】
2008079090.tif 000004
【図３】
2008079090.tif 000005
【図４】
2008079090.tif 000006
【図５】
2008079090.tif 000007
【図６】
2008079090.tif 000008
【図７】
2008079090.tif 000009
【図８】
2008079090.tif 000010
【図９】
2008079090.tif 000011
【図１０】
2008079090.tif 000012
【図１１】
2008079090.tif 000013
【図１２】
2008079090.tif 000014
【図１３】
2008079090.tif 000015
【図１４】
2008079090.tif 000016
【図１５】
2008079090.tif 000017
【図１６】
2008079090.tif 000018